(57)【要約】      （修正有）【課題】扉体の背面と袋体の外面との間の隙間に土砂等が堆積しにくくして、袋体の損傷を未然に防止できるようにした起伏ゲートを提供する。【解決手段】水路１の底部１ａで、上流側の起立位置Ｕと下流側の倒伏位置との間で回動可能にヒンジ結合された扉体２と、この扉体２の下流側に設置された袋体３とが設けられている。流体の供給による袋体３の膨張で扉体２が起立方向に回動されるとともに、流体の排出による袋体３の収縮で扉体２が倒伏方向に回動されるようになっている。扉体２の背面２ａと袋体３の外面３ａとの間の隙間５に土砂等６が堆積するのを防止する堆積防止部材（カバー部材１５Ａ，詰め込み部材）が設けられている。【選択図】図１
0003180314.tif 000002
【実用新案登録請求の範囲】
【請求項１】
水路の底部で、上流側の起立位置と下流側の倒伏位置との間で回動可能にヒンジ結合された扉体と、この扉体の下流側に設置された袋体とが設けられて、流体の供給による袋体の膨張で扉体が起立方向に回動されるとともに、流体の排出による袋体の収縮で扉体が倒伏方向に回動されるようになった起伏ゲートにおいて、
前記扉体の背面と前記袋体の外面との間の隙間に土砂等が堆積するのを防止する堆積防止部材が設けられていることを特徴とする起伏ゲート。
【請求項２】
前記堆積防止部材は、前記扉体の背面と前記袋体の外面との間の隙間を覆って、前記隙間に土砂等が侵入するのを防止するカバー部材であることを特徴とする請求項１に記載の起伏ゲート。
【請求項３】
前記カバー部材は、可撓性のシートであり、上端部が前記扉体の背面に固定され、下端部が前記袋体の外面に固定され、両側面が閉じ部材で閉じられて、前記扉体の起立時は斜めに傾斜して土砂等を袋体の下流側に滑り落とすとともに、前記扉体の倒伏に追従して、前記扉体と袋体との間に折り畳まれるものであることを特徴とする請求項２に記載の起伏ゲート。
【請求項４】
前記カバー部材は、硬質の板材であり、上端部が前記扉体の背面に揺動自在にヒンジ結合され、下端部が前記袋体の外面に接触され、両側面が閉じ部材で閉じられて、前記扉体の起立時は所定の角度で立ち上がって土砂等を袋体の下流側に滑り落とすとともに、前記扉体の倒伏に追従して、下端部が前記袋体の外面を摺動しながら前記扉体と袋体との間に倒されるものであることを特徴とする請求項２に記載の起伏ゲート。
【請求項５】
前記カバー部材の下端部に転動ローラが取付けられ、この転動ローラが前記袋体の外面に接触することを特徴とする請求項４に記載の起伏ゲート。
【請求項６】
前記堆積防止部材は、前記扉体の背面と前記袋体の外面との間の隙間に詰め込まれて、前記隙間に土砂等が侵入するのを防止する詰め込み部材であることを特徴とする請求項１に記載の起伏ゲート。
【請求項７】
前記詰め込み部材は、前記袋体の上部に積み重ねられて前記隙間に詰め込まれる詰め込み袋体であり、この詰め込み袋体は、前記袋体にほぼ同期する流体の給排で膨縮するものであることを特徴とする請求項６に記載の起伏ゲート。
【考案の詳細な説明】
【技術分野】
【０００１】
本考案は、起伏ゲートに関する。
【背景技術】
【０００２】
従来、図９に示すように、水路１の底部で、上流側の起立位置Ｕと下流側の倒伏位置Ｄとの間で回動可能にヒンジ結合された扉体２と、この扉体２の下流側に設置された袋体３とが設けられて、流体の供給による袋体３の膨張で扉体２が起立方向に回動されるとともに、流体の排出による袋体３の収縮で扉体２が倒伏方向に回動されるようになった起伏ゲートがある（特許文献１参照）。
【０００３】
扉体２は、引き留めベルト４で起立位置Ｕに保持され、この引き留めベルト４は、扉体２の長さ（径間）方向に所定に間隔を隔てて複数本が配列されている。
【０００４】
ところで、起伏ゲートが土砂や流木等の流下物が多い河川に設置されている場合、扉体２の背面と袋体３の外面との間のポケット状の隙間５に土砂等６が巻き込まれて堆積しやすくなる。
【先行技術文献】
【特許文献】
【０００５】
【特許文献１】特開２００５−７６２７７号公報
【考案の概要】
【考案が解決しようとする課題】
【０００６】
このように、扉体２の背面と袋体３の外面との間のポケット状の隙間５に土砂等６が堆積すると、袋体３は、通常、ゴム引布製であることから、起伏（開度）制御を頻繁に行う場合には、扉体２の起伏時に、堆積した土砂等６が扉体２の背面で袋体３の外面に押し付けられ、あるいは舞い上がった土砂等６が袋体３に衝突して、袋体３が損傷するおそれがあった。
【０００７】
本考案は、前記問題を解消するためになされたもので、扉体の背面と袋体の外面との間の隙間に土砂等が堆積しにくくして、袋体の損傷を未然に防止できるようにした起伏ゲートを提供することを目的とするものである。
【課題を解決するための手段】
【０００８】
前記課題を解決するために、本考案は、水路の底部で、上流側の起立位置と下流側の倒伏位置との間で回動可能にヒンジ結合された扉体と、この扉体の下流側に設置された袋体とが設けられて、流体の供給による袋体の膨張で扉体が起立方向に回動されるとともに、流体の排出による袋体の収縮で扉体が倒伏方向に回動されるようになった起伏ゲートにおいて、前記扉体の背面と前記袋体の外面との間の隙間に土砂等が堆積するのを防止する堆積防止部材が設けられていることを特徴とする起伏ゲートを提供するものである。
【０００９】
本考案によれば、扉体の背面と袋体の外面との間の隙間に土砂等が堆積するのを防止する堆積防止部材を設けることで、隙間に土砂等が堆積しなくなって、扉体の起伏時に土砂等で袋体を損傷するおそれがなくなる。
【００１０】
また、堆積防止部材の上に堆積した土砂等は、扉体の起立時に堆積防止部材の上から袋体の下流側に滑り落ちるようになる。したがって、扉体の起伏時に、堆積防止部材の上の土砂等が扉体の背面で袋体の外面に押し付けられないので、土砂等で袋体を損傷するおそれがなくなる。
【００１１】
前記堆積防止部材は、前記扉体の背面と前記袋体の外面との間の隙間を覆って、前記隙間に土砂等が侵入するのを防止するカバー部材である構成とすることができる。
【００１２】
この構成によれば、堆積防止部材として、扉体の背面と袋体の外面との間の隙間を覆うカバー部材を設けることで、隙間に土砂等が堆積しなくなって、扉体の起伏時に土砂等で袋体を損傷するおそれがなくなる。
【００１３】
また、カバー部材の上に堆積した土砂等は、扉体の起立時にカバー部材の上から袋体の下流側に滑り落ちるようになる。したがって、扉体の起伏時に、カバー部材の上の土砂等が扉体の背面で袋体の外面に押し付けられないので、土砂等で袋体を損傷するおそれがなくなる。
【００１４】
前記カバー部材は、可撓性のシートであり、上端部が前記扉体の背面に固定され、下端部が前記袋体の外面に固定され、両側面が閉じ部材で閉じられて、前記扉体の起立時は斜めに傾斜して土砂等を袋体の下流側に滑り落とすとともに、前記扉体の倒伏に追従して、前記扉体と袋体との間に折り畳まれるものである構成とすることができる。
【００１５】
この構成によれば、カバー部材として、可撓性のシートを用いれば、可撓性シートの上端部を扉体の背面に固定し、下端部を袋体の外面に固定するだけで、カバー部材を簡単に設置することができる。可撓性シートがゴム引布やゴム材であれば、袋体の材料をそのまま利用可能であるので、材料コストが安価になる。また、既存の起伏ゲートにも後付けで簡単に設置することもできる。なお、両側面の閉じ部材は、可撓性シートを利用してもよいが、別体の柔軟なスポンジ状部材であってもよい。
【００１６】
さらに、カバー部材は、扉体の起立時は背面側が斜めに傾斜するから、カバー部材の上の土砂等の大部分は袋体の下流側に自然に滑り落ちるようになる。また、カバー部材は、扉体の倒伏に追従して、扉体と袋体との間に折り畳まれるから、カバー部材も流木等で損傷するおそれがなくなる。
【００１７】
前記カバー部材は、硬質の板材であり、上端部が前記扉体の背面に揺動自在にヒンジ結合され、下端部が前記袋体の外面に接触され、両側面が閉じ部材で閉じられて、前記扉体の起立時は所定の角度で立ち上がって土砂等を袋体の下流側に滑り落とすとともに、前記扉体の倒伏に追従して、下端部が前記袋体の外面を摺動しながら前記扉体と袋体との間に倒されるものである構成とすることができる。
【００１８】
この構成によれば、カバー部材として、硬質の板材を用いれば、カバー部材の上端部を扉体の背面に揺動自在にヒンジ結合し、下端部を袋体の外面に接触させるだけで、カバー部材を簡単に設置することができる。また、既存の起伏ゲートにも後付けで簡単に設置することもできる。なお、両側面の閉じ部材は、可撓性シートを利用してもよいが、別体の柔軟なスポンジ状部材であってもよい。
【００１９】
さらに、カバー部材は、扉体の起立時は立ち上がるから、カバー部材の上の土砂等の大部分は袋体の下流側に自然に滑り落ちるようになる。また、カバー部材は、扉体の倒伏に追従して、下端部が袋体の外面を摺動しながら、袋体の外面に堆積した土砂等を袋体の下流側に掻き落としつつ、扉体と袋体との間に倒されるから、カバー部材も流木等で損傷するおそれがなくなる。
【００２０】
前記カバー部材の下端部に転動ローラが取付けられ、この転動ローラが前記袋体の外面に接触する構成とすることができる。
【００２１】
この構成によれば、カバー部材の転動ローラが袋体の外面に接触するから、転動ローラは袋体の外面を滑らかに転動するので、ヒンジ結合と相俟ってカバー部材の揺動がスムーズになる。
【００２２】
前記堆積防止部材は、前記扉体の背面と前記袋体の外面との間の隙間に詰め込まれて、前記隙間に土砂等が侵入するのを防止する詰め込み部材である構成とすることができる。
【００２３】
この構成によれば、堆積防止部材として、扉体の背面と袋体の外面との間の隙間に詰め込む詰め込み部材を設けることで、隙間に土砂等が堆積しなくなって、扉体の起伏時に土砂等で袋体を損傷するおそれがなくなる。
【００２４】
また、詰め込み部材の上に堆積した土砂等は、扉体の起立時に詰め込み部材の上から袋体の下流側に滑り落ちるようになる。したがって、扉体の起伏時に、詰め込み部材の上の土砂等が扉体の背面で袋体の外面に押し付けられないので、土砂等で袋体を損傷するおそれがなくなる。
【００２５】
前記詰め込み部材は、前記袋体の上部に積み重ねられて前記隙間に詰め込まれる詰め込み袋体であり、この詰め込み袋体は、前記袋体にほぼ同期する流体の給排で膨縮するものである構成とすることができる。
【００２６】
この構成によれば、詰め込み部材として、詰め込み袋体を用いれば、詰め込み部材を扉体と袋体との間の隙間に詰め込むだけで、詰め込み部材を簡単に設置することができる。詰め込み部材は、袋体の材料をそのまま利用可能で、袋体と同様な工程で製造可能であるので、材料コスト・製造コストが安価になる。また、既存の起伏ゲートにも後付けで簡単に設置することもできる。
【００２７】
さらに、詰め込み部材は、扉体の起立時は背面側が斜めに傾斜するから、詰め込み部材の上の土砂等の大部分は袋体の下流側に自然に滑り落ちるようになる。また、詰め込み部材は、扉体の倒伏に追従して、扉体と袋体との間に収縮するから、詰め込み部材も流木等で損傷するおそれがなくなる。なお、詰め込み部材に対する流体の給排は、袋体の流体を利用してもよいが、詰め込み部材を扉体の背面と袋体の外面との双方に固定して、土砂等が侵入しにくいように、外部の水や空気の流通穴を形成することで、扉体の起伏に追従して自然に膨縮させることもできる。
【考案の効果】
【００２８】
本考案によれば、堆積防止部材を設けることで、扉体の背面と袋体の外面との間の隙間に土砂等が堆積しにくくなって、袋体の損傷を未然に防止できるようになる。
【図面の簡単な説明】
【００２９】
【図１】本考案の第１実施形態の起伏ゲートであり、（ａ）は起立位置の側面断面図、（ｂ）は中間開度位置の側面断面図である。
【図２】（ａ）は図１の起伏ゲートの倒伏位置の側面断面図、（ｂ）はカバー部材の側面部分を示す要部斜視図、（ｃ）は土砂等の侵入防止材の斜視図である。
【図３】図１の起伏ゲートの下流側から見た背面図である。
【図４】本考案の第２実施形態の起伏ゲートであり、（ａ）は起立位置の側面断面図、（ｂ）は中間開度位置の側面断面図である。
【図５】（ａ）は図４の起伏ゲートの倒伏位置の側面断面図、（ｂ）はカバー部材の要部正面図である。
【図６】図４の起伏ゲートの下流側から見た背面図である。
【図７】本考案の第３実施形態の起伏ゲートであり、（ａ）は起立位置の側面断面図、（ｂ）は倒伏位置の側面断面図である。
【図８】図７の袋体と詰め込み部材の斜視図である。
【図９】背景技術の起伏ゲートの側面断面図である。
【考案を実施するための形態】
【００３０】
以下、本考案を実施するための形態について、図面を参照しながら詳細に説明する。なお、背景技術と同一構成・作用の箇所は、同一番号を付して詳細な説明を省略する。
【００３１】
図１は第１実施形態の起伏ゲート１０Ａであり、（ａ）は起立位置Ｕの側面断面図、（ｂ）は中間開度位置Ｍの側面断面図である。図２（ａ）は起伏ゲート１０Ａの倒伏位置Ｄの側面断面図、（ｂ）はカバー部材１５Ａの側面部分を示す要部斜視図、（ｃ）は土砂等６の侵入防止材１７の斜視図である。図３は起伏ゲート１０Ａの下流側から見た背面図である。
【００３２】
水路１の底部１ａには、ヒンジ部材１１により、上流側の起立位置Ｕと下流側の倒伏位置Ｄとの間で回動可能にヒンジ結合された鋼製の扉体２が設置されている。
【００３３】
この扉体２の下流側の水路１の底部１ａには、ゴム引布製の袋体３が金具１２で固定されて設置されている。袋体３には給排管１３が接続され、この給排管１３からの流体（空気または水）の供給による袋体３の膨張で扉体２が起立方向に回動される。また、給排管１３からの流体の排出による袋体３の収縮で扉体２が倒伏方向に回動される。
【００３４】
扉体２は、引き留めベルト４（図９参照）で起立位置Ｕに保持され、この引き留めベルト４は、扉体２の長さ（径間）方向に所定に間隔を隔てて複数本（本例では６本だけ図示）が配列されている。
【００３５】
扉体２の背面２ａと袋体３の外面３ａとの間には、この背面２ａと外面３ａとの間のポケット状の隙間５に土砂等が堆積するのを防止する堆積防止部材１５（Ａ〜Ｃ）が設けられている。
【００３６】
堆積防止部材１５は、本例では、隙間５を覆って、この隙間５に土砂等が堆積するのを防止するカバー部材１５Ａである。
【００３７】
具体的には、カバー部材１５Ａは、可撓性のシート、例えば可撓性のゴム引布またはゴムシートである。カバー部材１５Ａの上端部は、扉体２の背面２ａに金具１６で固定され、下端部は、袋体３の外面３ａに接着で固定されている。なお、カバー部材１５Ａの下端部を袋体３に金具で固定することも可能である。
【００３８】
カバー部材１５Ａは、扉体２の起立位置Ｕでは、図１（ａ）のように、異常な張力が作用しない程度に斜めに傾斜する高さに設定されている。このように、斜めに傾斜することで、矢印ａのように、土砂等６を袋体３の下流側に滑り落とすようになる。
【００３９】
また、カバー部材１５Ａには、扉体２の倒伏に追従して、扉体２と袋体３との間に折り畳まれるような折り癖ｂ〔図１（ｂ）参照〕が複数箇所に付けられている。
【００４０】
カバー部材１５Ａの径間方向の長さは、引き留めベルト４の内側をくぐらせた状態で、袋体３の径間方向の長さと略同じに設定されている。
【００４１】
カバー部材１５Ａの両側面１５ａは、図２（ｂ）にクロスハッチングで示すように、可撓性のシート、例えばゴム引布またはゴムシートで、扉体２の背面２ａと袋体３の側面とに跨って閉じられて、カバー部材１５Ａの両側面１５ａから土砂等６が隙間５に侵入するのを防止している。カバー部材１５Ａの両側面１５ａは完全に閉じられているのではなく、例えば袋体３の側面部分との間に、土砂等６等が侵入しにくいように、水や空気の流通隙間ｓが形成されている。なお、両側面１５ａの閉じ部材は、可撓性シートを利用してもよいが、別体の柔軟なスポンジ状部材であってもよい。
【００４２】
また、図１（ａ）に示した扉体２の下部と袋体３の前部との間の略三角形状の隙間ｃは、袋体３の両端部に位置させて、図２（ｂ）（ｃ）のような三角形状で柔軟なスポンジ状の土砂等６の侵入防止材１７で閉じられている。
【００４３】
第１実施形態の起伏ゲート１０Ａであれば、扉体２の背面２ａと袋体３の外面３ａとの間の隙間５を覆うカバー部材１５Ａを設けることで、隙間５に土砂等６が堆積しにくくなって、扉体２の起伏時に土砂等６で袋体を損傷するおそれがなくなる。
【００４４】
また、中間開度位置Ｍや倒伏位置Ｄにおいて、カバー部材１５Ａの上に堆積した土砂等６は、扉体２の起立時にカバー部材１５Ａの上から袋体３の下流側に滑り落ちるようになる。したがって、扉体２の起伏時に、カバー部材１５Ａの上の土砂等６が扉体２の背面２ａで袋体３の外面３ａに押し付けられないので、土砂等６で袋体３を損傷するおそれがなくなる。
【００４５】
さらに、カバー部材１５Ａとして、可撓性のゴム引布等を用いているから、ゴム引布等の上端部を扉体２の背面２ａに固定し、下端部を袋体３の外面３ａに固定するだけで、カバー部材１５Ａを簡単に設置することができる。カバー部材１５Ａがゴム引布等であれば、袋体３の材料をそのまま利用可能であるので、材料コストが安価になる。また、既存の起伏ゲートにも後付けで簡単に設置することもできる。
【００４６】
さらに、カバー部材１５Ａは、扉体２の起立時は斜めに傾斜するから、カバー部材１５Ａの上の土砂等６の大部分は袋体３の下流側に自然に滑り落ちるようになる。また、カバー部材１５Ａは、扉体２の倒伏に追従して、扉体２と袋体３との間に折り畳まれるから、カバー部材１５Ａも流木等で損傷するおそれがなくなる。
【００４７】
図４は第２実施形態の起伏ゲート１０Ｂであり、（ａ）は起立位置Ｕの側面断面図、（ｂ）は中間開度位置Ｍの側面断面図である。図５（ａ）は起伏ゲート１０Ｂの倒伏位置Ｄの側面断面図、（ｂ）はカバー部材１５Ｂの要部正面図である。図６は起伏ゲート１０Ｂの下流側から見た背面図である。なお、第１実施形態の起伏ゲート１０Ａと同一構成・作用の箇所は、同一番号を付して詳細な説明を省略する。
【００４８】
扉体２の背面２ａと袋体３の外面３ａとの間には、堆積防止部材１５として、背面２ａと外面３ａとの間のポケット状の隙間５を覆って、この隙間５に土砂等が堆積するのを防止するカバー部材１５Ｂが設けられている。
【００４９】
具体的には、カバー部材１５Ｂは、硬質の板材である。カバー部材１５Ｂの上端部は、扉体２の背面２ａにヒンジ軸１８により揺動自在にヒンジ結合されている。また、カバー部材１５Ｂの下端部に転動ローラ１９が取付けられ、この転動ローラ１９が袋体３の外面３ａに接触するようになっている。なお、カバー部材１５Ｂの下端部を滑らかな湾曲部に形成すれば、転動ローラ１９は不要である。
【００５０】
カバー部材１５Ｂは、扉体２の起立位置Ｕでは、図４（ａ）のように、転動ローラ１９が袋体３の外面３ａに接触した状態で、やや外向き斜めに傾斜する高さに設定されている。このように、斜めに傾斜することで、矢印ａのように、土砂等６を袋体３の下流側に滑り落とすようになる。また、カバー部材１５Ｂを外向き斜めに傾斜させるためのストッパー（不図示）が設けられている。これにより、カバー部材１５Ｂは、扉体２の起伏時に外向き斜めに傾斜されて、袋体３の方向に巻き込まれないようになる。
【００５１】
カバー部材１５Ｂは、扉体２の起伏時は、外向き斜めに傾斜した姿勢のままで、転動ローラ１９が袋体３の外面３ａを摺動しながら扉体２と袋体３との間に倒されるようになる。
【００５２】
カバー部材１５Ｂの径間方向の長さは、全体が袋体３の径間方向の長さと略同じとなるように、隣り合う引き留めベルト４の間に収まる長さに設定されている。
【００５３】
カバー部材１５Ｂは、引き留めベルト４との干渉を避けるために、引き留めベルト４の間に収まる長さに設定されている。このため、図５（ｂ）に示すように、隣り合うカバー部材１５Ｂの間を可撓性のシート、例えば可撓性のゴム引布またはゴムシート２０で連結して、隣り合うカバー部材１５Ｂの間から土砂等６が隙間５に侵入するのを防止している。
【００５４】
カバー部材１５Ｂの両側面は、カバー部材１５Ａと同様に、可撓性のシート、例えばゴム引布またはゴムシートで閉じられて、カバー部材１５Ｂの両側面から土砂等６が隙間５に侵入するのを防止している。なお、両側面の閉じ部材は、可撓性シートを利用してもよいが、別体の柔軟なスポンジ状部材であってもよい。
【００５５】
また、カバー部材１５Ａと同様に、扉体２の下部と袋体３の前部との間の略三角形状の隙間ｃ〔図１（ａ）参照〕は、侵入防止材１７で閉じられている。
【００５６】
第２実施形態の起伏ゲート１０Ｂであれば、第１実施形態と同様の作用効果の他に、カバー部材１５Ａとして、硬質の板材を用いている。したがって、上端部を扉体２の背面２ａに揺動自在にヒンジ結合し、下端部を袋体３の外面３ａに接触させるだけで、カバー部材１５Ｂを簡単に設置することができる。また、既存の起伏ゲートにも後付けで簡単に設置することもできる。
【００５７】
さらに、カバー部材１５Ｂは、扉体２の起立時は立ち上がるから、カバー部材１５Ｂの上の土砂等６の大部分は袋体３の下流側に自然に滑り落ちるようになる。また、カバー部材１５Ｂは、扉体２の倒伏に追従して、下端部が袋体３の外面３ａを摺動しながら、袋体３の外面３ａに堆積した土砂等６を袋体３の下流側に掻き落としつつ、扉体２と袋体３との間に倒されるから、カバー部材１５Ｂも流木等で損傷するおそれがなくなる。
【００５８】
さらに、転動ローラ１９が袋体３の外面３ａに接触するから、転動ローラ１９は袋体３の外面３ａを滑らかに転動するので、ヒンジ結合と相俟ってカバー部材１５Ｂの揺動がスムーズになる。
【００５９】
図７は第３実施形態の起伏ゲート１０Ｃであり、（ａ）は起立位置Ｕの側面断面図、（ｂ）は倒伏位置Ｄの側面断面図である。図８は袋体３と詰め込み部材１５Ｃの斜視図である。なお、第１実施形態の起伏ゲート１０Ａと同一構成・作用の箇所は、同一番号を付して詳細な説明を省略する。
【００６０】
扉体２の背面２ａと袋体３の外面３ａとの間には、堆積防止部材１５として、背面２ａと外面３ａとの間のポケット状の隙間５に詰め込まれて、この隙間５に土砂等６が侵入するのを防止する詰め込み部材１５Ｃが設けられている。
【００６１】
具体的には、詰め込み部材１５Ｃは、袋体３の上部に積み重ねられて隙間５に詰め込まれる詰め込み袋体である。
【００６２】
詰め込み部材１５Ｃは、下面１５ｄが袋体３に外面に接着されているのが好ましく、前面１５ｅは扉体２の背面に金具で固定されているのが好ましい。
【００６３】
詰め込み部材１５Ｃは、袋体３の材料をそのまま利用して、袋体３と同様な工程で袋状に製造することができる。
【００６４】
詰め込み部材１５Ｃは、図８のように、袋体３にほぼ同期する流体の給排管１３’による給排で膨縮するものである。この給排管１３’による流体の給排量は、給排管１３による袋体３の流体の給排量よりも少なくて済むので、別系統の簡易タイプとするのが好ましい。
【００６５】
詰め込み袋体である詰め込み部材１５Ｃに対する流体の給排は、袋体３の流体を利用してもよいが、詰め込み部材１５Ｃを扉体２の背面２ａと袋体３の外面３ａとの双方に固定して、土砂等６が侵入しにくいように、外部の水や空気の流通穴を形成することで、扉体２の起伏に追従して自然に膨縮させることもできる。
【００６６】
詰め込み部材１５Ｃの径間方向の長さは、袋体３の径間方向の長さと略同じに設定されている。
【００６７】
また、カバー部材１５Ａと同様に、扉体２の下部と袋体３の前部との間の三角形状の隙間ｃ〔図１（ａ）参照〕は、侵入防止材１７で閉じられている。
【００６８】
第３実施形態の起伏ゲート１０Ｃであれば、第１実施形態と同様の作用効果の他に、堆積防止部材１５として、扉体２の背面２ａと袋体３の外面３ａとの間の隙間５に詰め込む詰め込み部材１５Ｃを設けている。したがって、隙間５に土砂等が堆積しなくなって、扉体２の起伏時に土砂等６で袋体３を損傷するおそれがなくなる。
【００６９】
また、詰め込み部材１５Ｃの上に堆積した土砂等６は、扉体２の起立時に詰め込み部材１５Ｃの上から袋体３の下流側に滑り落ちるようになる。したがって、扉体２の起伏時に、詰め込み部材１５Ｃの上の土砂等６が扉体２の背面２ａで袋体３の外面３ａに押し付けられないので、土砂等６で袋体３を損傷するおそれがなくなる。
【００７０】
さらに、詰め込み部材１５Ｃとして、詰め込み袋体を用いれば、詰め込み部材１５Ｃを扉体２と袋体３との間の隙間５に詰め込むだけで、詰め込み部材１５Ｃを簡単に設置することができる。詰め込み部材１５Ｃは、袋体３の材料をそのまま利用可能で、袋体３と同様な工程で製造可能であるので、材料コスト・製造コストが安価になる。また、既存の起伏ゲートにも後付けで簡単に設置することもできる。
【００７１】
また、詰め込み部材１５Ｃは、扉体２の起立時は背面側が斜めに傾斜するから、詰め込み部材１５Ｃの上の土砂等６の大部分は袋体３の下流側に自然に滑り落ちるようになる。また、詰め込み部材１５Ｃは、扉体２の倒伏に追従して、扉体２と袋体３との間に収縮するから、詰め込み部材１５Ｃも流木等で損傷するおそれがなくなる。
【符号の説明】
【００７２】
１      水路
１ａ    底部
２      扉体
２ａ    背面
３      袋体
３ａ    外面
５      隙間
６      土砂等
１０Ａ，１０Ｂ，１０Ｃ  起伏ゲート
１５    堆積防止部材
１５Ａ，１５Ｂ  カバー部材（堆積防止部材）
１５Ｃ  詰め込み部材（堆積防止部材）
１９    転動ローラ
Ｄ      倒伏位置
Ｕ      起立位置
【図１】
0003180314.tif 000003
【図２】
0003180314.tif 000004
【図３】
0003180314.tif 000005
【図４】
0003180314.tif 000006
【図５】
0003180314.tif 000007
【図６】
0003180314.tif 000008
【図７】
0003180314.tif 000009
【図８】
0003180314.tif 000010
【図９】
0003180314.tif 000011